(57)【要約】      （修正有）【課題】冷蔵庫稼働中に生じる熱エネルギーを回収して再利用し、電気エネルギー消耗を効果的に減少することができる冷蔵庫熱回収システムを提供する。【解決手段】冷蔵庫２１０、貯水桶２３０、熱交換コイル２２０、水源２４０、給水弁２５０、第１のポンプ２６０及び第２のポンプ２７０を備える冷蔵庫熱回収システム２００であって、冷蔵庫２１０と貯水桶２３０とを接続する熱交換コイル２２０は、冷蔵庫２１０から発生した熱エネルギーを吸収することにより、熱交換コイル２２０内における水を中温状態に加熱する。水源２４０と貯水桶２３０とを接続する給水弁２５０は、水源２４０からの水が貯水桶２３０に流れるように制御する。貯水桶２３０と熱交換コイル２２０とを接続する第１のポンプ２６０は、貯水桶２３０からの水が熱交換コイル２２０に流れるように制御する。貯水桶２３０と接続する第２のポンプ２７０は、貯水桶２３０からの水を少なくとも一つの外部機器に送り込むように制御する。【選択図】図２
0003210927.tif 000002
【実用新案登録請求の範囲】
【請求項１】
熱エネルギーを生じる冷蔵庫と、
貯水桶と、
当該冷蔵庫と接続し、当該貯水桶内に延伸し、当該熱エネルギーを吸収することにより当該貯水桶内の水を中温状態に加熱する熱交換コイルと、
水を供給する水源と、
当該水源と当該貯水桶とを接続し、当該水源からの水が当該貯水桶に流れるように制御する給水弁と、
当該貯水桶と接続し、当該貯水桶からの水を少なくとも一つの外部機器に送り込むように制御するポンプと、
を備える冷蔵庫熱回収システム。
【請求項２】
当該ポンプ及び当該給水弁の開閉を制御する制御ユニットを更に備える請求項1に記載の冷蔵庫熱回収システム。
【請求項３】
当該熱交換コイルは、当該冷蔵庫に統合されている請求項1に記載の冷蔵庫熱回収システム。
【請求項４】
当該貯水桶内に設けられ、当該貯水桶内の水温を検知する温度センサを更に備え、当該貯水桶内の水温が所定の温度に達した場合、当該ポンプを開けて当該貯水桶内の水を当該外部機器に送り込む請求項1に記載の冷蔵庫熱回収システム。
【請求項５】
当該貯水桶内に設けられ、当該貯水桶内の水位を検知する水位センサを備え、当該貯水桶内の水位が低水位以下になった場合、当該給水弁を開け、当該貯水桶内の水位が高水位以上になった場合、当該給水弁を閉じる請求項1に記載の冷蔵庫熱回収システム。
【請求項６】
熱エネルギーを生じる冷蔵庫と、
貯水桶と、
当該冷蔵庫と当該貯水桶とを接続する熱交換コイルであって、当該熱エネルギーを吸収することにより、当該熱交換コイル内の水を中温状態に加熱する熱交換コイルと、
水を供給する水源と、
当該水源と当該貯水桶とを接続し、当該水源からの水が当該貯水桶に流れるように制御する給水弁と、
当該貯水桶と当該熱交換コイルとを接続し、当該貯水桶からの水が当該熱交換コイルに流れるように制御する第1のポンプと、
当該貯水桶と接続し、当該貯水桶からの水を少なくとも一つの外部機器に送り込むように制御する第2のポンプと、
を備える冷蔵庫熱回収システム。
【請求項７】
当該第1のポンプ、当該第2のポンプ及び当該給水弁の開閉を制御する制御ユニットを更に備える請求項6に記載の冷蔵庫熱回収システム。
【請求項８】
当該熱交換コイルが当該冷蔵庫に統合されている請求項6に記載の冷蔵庫熱回収システム。
【請求項９】
当該貯水桶内に設けられ、当該貯水桶内の水温を検知する温度センサを更に備え、当該貯水桶内の水温が所定の温度に達した場合、当該第2のポンプを開けて当該貯水桶内の水を当該外部機器に送り込む請求項6に記載の冷蔵庫熱回収システム。
【請求項１０】
当該貯水桶内に設けられ、当該貯水桶内の水位を検知する水位センサを備え、当該貯水桶内の水位が低水位以下になった場合、当該給水弁を開け、当該貯水桶内の水位が高水位以上になった場合、当該給水弁を閉じる請求項6に記載の冷蔵庫熱回収システム。
【考案の詳細な説明】
【技術分野】
【０００１】
本考案は、熱回収システムに関し、具体的にいえば、本考案は、冷蔵庫熱回収システムに関するものである。
【背景技術】
【０００２】
冷蔵庫は、今日極普通で普及されている家電製品の一つであり、食べ物を冷蔵及び／又は冷凍する機能を有し、低温を提供することで各種の食べ物又は飲み物を保存することができるため、殆ど全ての家庭や営業場所で冷蔵庫が見られる。例えば、冷蔵庫は、長期にわたって定温で運転して使用されるものであり、冷蔵庫が所定の温度に達するように運転することとは、圧縮機が運転することで冷媒を圧縮してコンデンサに輸送し、空気により冷却し、液体冷媒に変換し、キャピラリー又は膨脹弁の作用により低温低圧状態に変換してから、蒸発器により密閉空間における熱を吸い取り、同時に、液体冷媒を気体冷媒に変換し、最後に、気体冷媒は、また圧縮機に戻る。ところが、圧縮機が運転することで冷媒を圧縮してコンデンサに輸送する時、大量の廃熱エネルギーが空気に散布され、これらの廃熱エネルギーを再利用することができず、このようにエネルギーの浪費をもたらす。
【０００３】
環境保護又はグリーンエネルギーの意識が広がっている現代社会では、消耗される必要のあるエネルギーから更にエネルギーを回収して再利用することができる冷蔵庫熱回収システムが必要とされている。
【考案の概要】
【０００４】
本考案は、冷蔵庫稼働中に生じる熱エネルギーを回収して再利用し、電気エネルギー消耗を効果的に減少することができる冷蔵庫熱回収システムを提供する。
【０００５】
本考案は、冷蔵庫、貯水桶、熱交換コイル、水源、給水弁及びポンプを備える冷蔵庫熱回収システムを提供する。冷蔵庫は、熱エネルギーを生じる。熱交換コイルは、冷蔵庫と接続し、貯水桶内に延伸し、熱エネルギーを吸収することにより、貯水桶内の水を中温状態に加熱する。水源は、水を供給する。給水弁は、水源と貯水桶とを接続し、水源からの水が貯水桶に流れるように制御する。ポンプは、貯水桶と接続し、貯水桶からの水を少なくとも一つの外部機器に送り込むように制御する。
【０００６】
本考案は、冷蔵庫、貯水桶、熱交換コイル、水源、給水弁、第1のポンプ及び第2のポンプを備える冷蔵庫熱回収システムを提供する。冷蔵庫は、熱エネルギーを生じる。熱交換コイルは、冷蔵庫と貯水桶とを接続し、熱エネルギーを吸収することにより、熱交換コイル内の水を中温状態に加熱する。水源は、水を供給する。給水弁は、水源と貯水桶とを接続し、水源からの水が貯水桶に流れるように制御する。第1のポンプは、貯水桶と熱交換コイルとを接続し、貯水桶からの水が熱交換コイルに流れるように制御する。第2のポンプは、貯水桶と接続し、貯水桶からの水を少なくとも一つの外部機器に送り込むように制御する。
【図面の簡単な説明】
【０００７】
【図１】本考案の第1の好ましい実施例の冷蔵庫熱回収システムの模式図である。
【図２】本考案の第2の好ましい実施例の冷蔵庫熱回収システムの模式図である。
【考案を実施するための形態】
【０００８】
図1は、本考案の第1の好ましい実施例の冷蔵庫熱回収システムの模式図である。冷蔵庫熱回収システム100は、冷蔵庫110、熱交換コイル120、貯水桶130、水源140、給水弁150及びポンプ160を備える。冷蔵庫110は、食べ物を冷凍及び／又は冷蔵する。熱交換コイル120は、冷蔵庫110と接続し、貯水桶130内に延伸し、冷蔵庫110が生じる廃熱又は熱エネルギーを吸収する。水源140としては、水道水を供給する蛇口を含むがそれに限らない。給水弁150は、水源140と貯水桶130とを接続し、水源140からの水が貯水桶130に流れるように制御する。ポンプ160は、貯水桶130と接続し、貯水桶130からの水を少なくとも一つの外部機器に送り込むように制御する。
【０００９】
実際に操作する際に、冷蔵庫110が稼働すると、廃熱又は熱エネルギーが発生する。この時、熱交換コイル120は、冷蔵庫110から発散した熱エネルギーを吸収し、これらの熱エネルギーを貯水桶130内に伝導することで、貯水桶130内の水が中温状態に加熱される。前記中温状態とは、摂氏20度と30度の間にあるが、これに限定されていない。
【００１０】
続いて、制御ユニット170によりポンプ160を開けるように制御することで、貯水桶130内の中温水を少なくとも一つの外部機器180に送り込むことができる。外部機器180としては、給湯器、電気ポットなどの家電製品、及び湯たんぽ、湯槽などの貯湯容器を含むがそれらに限らない。例えば、外部機器180が給湯器である場合、使用者はこれらの中温水でシャワーを浴びることができ、外部機器180が電気ポットである場合、使用者はこれらの中温水を直接飲むことができる。このように、水を加熱するエネルギーを効果的に節約し、省電力の効果に達することができる。
【００１１】
一つの実施例において、ポンプ160及び給水弁150の開閉は、同一の制御ユニット（例えば制御ユニット170）により制御されてもよい。他の実施例において、ポンプ160及び給水弁150の開閉は、異なる制御ユニットにより制御されてもよい。
【００１２】
本実施例において、好ましくは、貯水桶130内に、貯水桶130内の水温を検知する温度センサ（図示せず）を設ける。例えば、貯水桶130内の水温が、所定の温度、例えば摂氏30度に加熱された場合、ポンプ160を開けるように制御し、貯水桶130内の中温水を外部機器180に送り込む。
【００１３】
なお、本実施例において、好ましくは、貯水桶130内に、貯水桶130内の水位を検知する水位センサ（図示せず）を更に設ける。例えば、貯水桶130内の水位が低水位以下になった場合、給水弁150を開けるように制御し、水源140から水を貯水桶130内に送り込み、貯水桶130内の水位が高水位以上になった場合、給水弁150を閉じるように制御し、水源140の水が貯水桶130内に入ることを阻止する。
【００１４】
図1に示すように、本実施例の熱交換コイル120は、冷蔵庫110の外部に設けられているが、他の実施例において、熱交換コイル120を冷蔵庫110に統合するほうが好ましいことが留意されたい。
【００１５】
図2は、本考案の第2の好ましい実施例の冷蔵庫熱回収システムの模式図である。冷蔵庫熱回収システム200は、冷蔵庫210、熱交換コイル220、貯水桶230、水源240、給水弁250、第1のポンプ260及び第2のポンプ270を備える。冷蔵庫210は、食べ物を冷凍及び／又は冷蔵する。熱交換コイル220は、冷蔵庫210と接続し、冷蔵庫210が生じる廃熱又は熱エネルギーを吸収する。水源240としては、水道水を供給する蛇口を含むがそれに限らない。給水弁250は、水源240と貯水桶230とを接続し、水源240からの水が貯水桶230に流れるように制御する。第1のポンプ260は、貯水桶230と熱交換コイル220を接続し、貯水桶230からの水が熱交換コイル220に流れるように制御する。第2のポンプ270は、貯水桶230と接続し、貯水桶230からの水を少なくとも一つの外部機器280に送り込むように制御する。
【００１６】
実際に操作する際に、冷蔵庫210が稼働すると、廃熱又は熱エネルギーが発生する。この時、熱交換コイル220は、冷蔵庫210から発散した熱エネルギーを吸収することで、熱交換コイル220内を流れる水が中温状態に加熱され、また、加熱後の中温水を貯水桶230内に送り込んで貯蔵する。前記中温状態とは、摂氏20度と30度の間にあるが、これに限定されていない。その後、貯水桶230内の水温が所定の温度に達するまで、上記した水を加熱する循環動作を繰り返す。所定の温度は、摂氏20度と40度の間にすることが好ましいが、これに限定されていない。
【００１７】
好ましい実施例において、貯水桶230内の水温が所定の温度に達した場合、制御ユニット290により、前記した水を加熱する循環動作を停止するために第1のポンプ260を閉じるように制御する。このように省電力の効果に達することができる。
【００１８】
続いて、制御ユニット290により第2のポンプ270を開けるように制御することで、貯水桶230内の中温水を少なくとも一つの外部機器280に送り込む。外部機器280としては、給湯器、電気ポットなどの家電製品、及び湯たんぽ、湯槽などの貯湯容器が含まれている。例えば、外部機器280が給湯器である場合、使用者はこれらの中温水でシャワーを浴びることができ、外部機器280が電気ポットである場合、使用者はこれらの中温水を直接飲むことができる。このように、水を加熱するエネルギーを効果的に節約し、省電力の効果に達することができる。
【００１９】
一つの実施例において、図2に示すように、給水弁250、第1のポンプ260及び第2のポンプ270の開閉は、同一の制御ユニット（例えば制御ユニット290）により制御されてもよい。他の実施例において、給水弁250、第1のポンプ260及び第2のポンプ270の開閉は、それぞれ異なる制御ユニットにより制御されてもよい。
【００２０】
本実施例において、好ましくは、貯水桶230内に、貯水桶230内の水温を検知する温度センサ（図示せず）を設ける。例えば、貯水桶230内の水温が所定の温度、例えば摂氏30度に加熱された場合、第2のポンプ270を開けるように制御し、貯水桶230内の中温水を外部機器280に送り込む。
【００２１】
なお、本実施例において、好ましくは、貯水桶230内に、貯水桶230内の水位を検知する水位センサ（図示せず）を更に設ける。例えば、貯水桶230内の水位が低水位以下になった場合、給水弁250を開けるように制御し、水源240から水を貯水桶230内に送り込み、貯水桶230内の水位が高水位以上になった場合、給水弁250を閉じるように制御し、水源240の水が貯水桶230内に入ることを阻止する。
【００２２】
図2に示すように、本実施例の熱交換コイル220は、冷蔵庫210の外部に設けられているが、他の実施例において、熱交換コイル220を冷蔵庫210に統合するほうが好ましいことが留意されたい。
【００２３】
まとめて言えば、本考案の冷蔵庫熱回収システムは、冷蔵庫が運転する時に生じる廃熱又は熱エネルギーを回収して再利用し、電気エネルギー消耗を効果的に減少し、環境保護又はグリーンエネルギーの効果を達成することができる。
【００２４】
本考案について上記関連実施例により説明したが、上記実施例は本考案を実施するための実例に過ぎない。開示された実施例は本考案の範囲を制限するものではない。逆に、特許請求の範囲の趣旨及び範囲に含まれる修正及び均等の設置は、全て本考案の範囲内に含まれる。
【符号の説明】
【００２５】
100、200  冷蔵庫熱回収システム
110、210  冷蔵庫
120、220  熱交換コイル
130、230  貯水桶
140、240  水源
150、250  給水弁
160、260、270  ポンプ
170、290  制御ユニット
180、280  外部機器
【図１】
0003210927.tif 000003
【図２】
0003210927.tif 000004